(57)【要約】【課題】温暖効果を高めると共に、革靴等の履着に際しても違和感、不具合を与えない靴下を提供する。【解決手段】本考案によれば、爪先部２から踵部６までを構成する足部４と、踵部６上方から履口部９までを構成し足部４から連続する脚部８とを有し、足部４の踵部６は、ゴアライン７を介して足先側６ａと足首側６ｂに区分され、足部４と脚部８とは、踵部６の足首側６ｂの上辺と当該上辺に連続するゴアライン７の延長線とにより区分けされ、足部４及び脚部８は、非弾性糸と弾性糸とで編成されており、脚部８のみで表糸である非弾性糸がパイル編成されている靴下１が提供される。【選択図】図１
0003216146.tif 000002
【実用新案登録請求の範囲】
【請求項１】
爪先部から踵部までを構成する足部と、
前記踵部上方から履口部までを構成し、前記足部から連続する脚部と、を有し、
前記足部及び前記脚部は、非弾性糸と弾性糸とで編成されており、
前記脚部のみで表糸である前記非弾性糸がパイル編成されている
靴下。
【請求項２】
爪先部から踵部までを構成する足部と、
前記踵部上方から履口部までを構成し、前記足部から連続する脚部と、を有し、
前記足部の踵部は、ゴアラインを介して足先側と足首側に区分され、
前記足部と前記脚部とは、前記踵部の前記足首側の上辺と前記上辺に連続する前記ゴアラインの延長線とにより区分され、
前記足部及び脚部は、非弾性糸と弾性糸とで編成されており、
前記脚部のみで表糸である前記非弾性糸がパイル編成されている
靴下。
【請求項３】
前記非弾性糸は、綿糸、ポリエステル糸、ナイロン糸、ウール糸、綿−ポリエステル混紡糸、綿−アクリル混紡糸、ウール−ポリエステル混紡糸、ウール−アクリル混紡糸のいずれかであり、前記弾性糸は、ＦＴＹである
請求項１又は請求項２のいずれか１項に記載の靴下。
【考案の詳細な説明】
【技術分野】
【０００１】
本考案は、温暖効果を高めた靴下に関する。
【背景技術】
【０００２】
従来、靴下では、温暖効果を高めるために、非弾性糸からなる表糸の毛足を内側（裏側）で長くなるように編成した所謂パイル編成が採用されている。そして、このように、保温性を高めるためにパイル編成を用いた技術には、次のようなものがある。
【０００３】
例えば、特許文献１では、口ゴム部で連続する略筒形状の編地から形成された略同一形状の内筒体および外筒体を口ゴム部で折り返して両筒体の爪先部を縫着した二重靴下であって、内筒体における外筒体に対向する面にパイルを設け、外筒体における内筒体に対向する面にパイルを設け、内筒体に設けられたパイルを編成する繊維の熱伝導率が外筒体に設けられたパイルを編成する繊維の熱伝導率よりも低い二重靴下が提案されている。
【０００４】
さらに、例えば、特許文献２では、全体が総パイル組織で編成された靴下において、爪先部と、踵部と、母趾球部から第５趾球部までの足底前部とは、部分的に厚地のパイル組織とされている靴下が開示されている。
【先行技術文献】
【特許文献】
【０００５】
【特許文献１】特開２０１４−１６３０１７号公報
【特許文献１】特開２００９−２２１６１４号公報
【考案の概要】
【考案が解決しようとする課題】
【０００６】
しかしながら、特許文献１及び特許文献２に開示されたものは、保温性を高めるために一部にパイル編成を用いているものの、革靴等の履着に際しての違和感や不具合を解消する点については開示されておらず、また用途が限定的であった。
【０００７】
本考案は、このような課題に鑑みてなされたものであり、その目的とするところは、温暖効果を高めると共に、革靴等の履着に際しても違和感、不具合を与えない靴下を提供することにある。
【課題を解決するための手段】
【０００８】
上記課題を解決するため、本考案の第１の態様に係る靴下は、爪先部から踵部までを構成する足部と、前記踵部上方から履口部までを構成し、前記足部から連続する脚部と、を有し、前記足部及び前記脚部は、非弾性糸と弾性糸とで編成されており、前記脚部のみで表糸である前記非弾性糸がパイル編成されている。
【０００９】
本考案の第２の態様に係る靴下は、爪先部から踵部までを構成する足部と、前記踵部上方から履口部までを構成し、前記足部から連続する脚部と、を有し、前記足部の踵部は、ゴアラインを介して足先側と足首側に区分され、前記足部と前記脚部とは、前記踵部の前記足首側の上辺と前記上辺に連続する前記ゴアラインの延長線とにより区分けされ、前記足部及び脚部は、非弾性糸と弾性糸とで編成されており、前記脚部のみで表糸である前記非弾性糸がパイル編成されている。
【００１０】
そして、第１及び第２の態様において、前記非弾性糸は、綿糸、ポリエステル糸、ナイロン糸、ウール糸、綿−ポリエステル混紡糸、綿−アクリル混紡糸、ウール−ポリエステル混紡糸、ウール−アクリル混紡糸のいずれかであり、前記弾性糸は、ＦＴＹである。
【考案の効果】
【００１１】
本考案によれば、温暖効果を高めると共に、革靴等の履着に際しても違和感、不具合を与えない靴下を提供することができる。
【図面の簡単な説明】
【００１２】
【図１】本考案の一実施形態に係る靴下の構成図である。
【考案を実施するための形態】
【００１３】
以下、図面を参照しつつ本考案の一実施形態について説明する。
【００１４】
図１には、本考案の一実施形態に係る靴下の構成を示し説明する。
【００１５】
同図に示されるように、本実施形態に係る靴下１は、足部４、脚部８、及び履口部９で構成されている。そして、足部４は、足甲部３、爪先部２、足底部５、及び踵部６で構成されており、踵部６は、ゴアライン７を境界として、足先側６ａと足首側６ｂとなるよう編成されている。足先側６ａの編地と足首側６ｂの編地は目減らしと次に目増やしを行うことにより編成するようにしてよい。
【００１６】
足部４について、足甲部３は、着用者の足の甲が当接する部分である。爪先部２は、着用者の爪先が当接する部分である。足底部５は、着用者の足底が当接する部分である。そして、踵部６は、着用者の踵が当接する部分である。脚部８については、着用者の脚部分に当接する部分である。そして、履口部９は、着用者が、足先から靴下１内部に足を挿入するための開口部である。
【００１７】
編成について説明すると、足部４及び脚部８は、表糸である非弾性糸と裏糸である弾性糸によって編成されている。但し、脚部８は、表糸である非弾性糸の毛足が内側（裏側）で長くなるように編成する所謂パイル編成がなされている。
【００１８】
そして、表糸の非弾性糸としては、綿糸、ポリエステル糸、ナイロン糸、ウール糸、綿−ポリエステル混紡糸、綿−アクリル混紡糸、ウール−ポリエステル混紡糸、ウール−アクリル混紡糸等が用いられている。脚部８の表糸である非弾性糸をパイル編成している点は、本実施形態に特徴の一つである。
【００１９】
裏糸の弾性糸としては、ポリウレタン繊維をナイロン繊維で被覆した糸であるＦＴＹが用いられている。
【００２０】
足部４と脚部８との切り替わりは、踵部６の足首側６ｂの上辺と、当該上辺に連続するゴアライン７の延長線による境界として切り換わり位置としている。つまり、この実施形態に係る靴下１では、踵部６の足首側６ｂの上辺と、当該上辺に連続するゴアライン７の延長線により定まる境界よりも下方（足先側）を足部４とし、当該境界よりも上方（履口側）を脚部８としている。
【００２１】
脚部８は、前述したように、表糸である非弾性糸を毛足が内側（裏側）でループ状に長く出るようにパイル編成しているので、温暖効果がより一層高められている。
【００２２】
この脚部８に当接する部分は、くるぶしより若干上方部に相当するが、足首周辺に点在する冷えに効果があるといわれている各種径穴及びその周辺を、パイル編成の生地により温めることは、それら径穴への刺激、更には血行促進、血流改善に寄与する。
【００２３】
また、パイル編成されているのが、脚部８だけであり、足部４は裏糸と表糸による通常編成であることから、生地の厚みが厚くなることもなく、例えば、革靴等の履着に際しても、着用者に不具合や違和感を与えることがない。
【００２４】
このような靴下１の実際の編成に際しては、踵部６の足首側６ｂの上辺と当該上辺に連続するゴアライン７の延長線による境界よりも上方、つまり脚部８は、パイル編成の関係で多少の度目調整をしているが、編目数については足部４と同じであってよい。
【００２５】
以上説明したように、本考案の実施形態によれば、爪先部２から踵部６までを構成する足部４と、踵部６上方から履口部９までを構成し足部４から連続する脚部８とを有し、足部４及び脚部８は、非弾性糸と弾性糸とで編成されており、脚部８のみで表糸である非弾性糸がパイル編成されている靴下が提供される。従って、この構成によれば、温暖効果を高める、血行促進、血流改善を図ることができると共に、革靴等の履着に際して着用者に違和感や不具合感が生じることがない。
【００２６】
さらに、本考案の実施形態によれば、爪先部２から踵部６までを構成する足部４と、踵部６上方から履口部９までを構成し足部４から連続する脚部８とを有し、足部４の踵部６は、ゴアライン７を介して足先側６ａと足首側６ｂに区分され、足部４と脚部８とは、踵部６の足首側６ｂの上辺と当該上辺に連続するゴアライン７の延長線とにより区分され、足部４及び脚部８は、非弾性糸と弾性糸とで編成されており、脚部８のみで表糸である非弾性糸がパイル編成されている靴下１が提供される。従って、この構成によれば、温暖効果を高め、血行促進、血流改善を図ることができると共に、革靴等の履着に際して着用者に違和感や不具合感が生じることがない。
【００２７】
ここで、非弾性糸は、綿糸、ポリエステル糸、ナイロン糸、ウール糸、綿−ポリエステル混紡糸、綿−アクリル混紡糸、ウール−ポリエステル混紡糸、ウール−アクリル混紡糸のいずれかであり、弾性糸は、ＦＴＹであってよい。従って、足部４及び脚部８は、ＦＴＹを用いた編成により良好なフィット感を実現することができる。
【００２８】
以上、本考案の一実施形態について説明したが、本考案はこれに限定されることなくその趣旨を逸脱しない範囲で種々の改良・変更が可能であることは勿論である。
【００２９】
例えば、上記実施形態では、踵部の足首側の上辺と当該上辺に連続するゴアラインの延長線による境界より上方の非弾性糸をパイル編成する例を示したが、これに限定されず、当該境界よりも少し上方位置より脚部を非弾性糸でパイル編成するようにしてもよい。
【符号の説明】
【００３０】
１…靴下
２…爪先部
３…足甲部
４…足部
５…足底部
６…踵部
６ａ…足先側
６ｂ…足首側
７…ゴアライン
８…脚部
９…履口部
【図１】
0003216146.tif 000003